Podtech/llm-jp-corpus-v4-ja_patent huggingface dataset:
(57)【要約】      （修正有）【課題】要介護者が、オムツで用便後、介護者が容易に腰部洗浄を行うことのできるベッドを提供する。【解決手段】洗浄時他に移る事なく、使用中のベット上で行える、その為作業しやすい高さにベットを上げベットの下半身部分を後ろに下げる、一時的に腰を支えるウス板を、敷き布団と腰の間に差し込み、ベット上半身部分との間に洗浄機能付きワゴンを差し入れる、その後ウス板を抜き取る、防水布の付いたポールを前後に立てる。ポンプ内蔵の貯湯タンクを働かせ、シャワーにより上下左右をまんべんなく洗浄作業が行えるように考えた洗浄機能付ベット。【選択図】図５
2010022793.tif 000002
【特許請求の範囲】
【請求項１】
介護を受けている人が使用中のベット上でお湯シャワーにて洗浄、オムツ取り替えを行ってもらえる事が出来る腰部洗浄機能付きベット。
作業行為には、作業しやすい高さ調節を行ってから二分割可能に作られているベットの下半身部分を後ろに引き出す、高さ調節出来る洗浄機能付きワゴンを差し入れる。引き出す時腰が下がってしまう為事前に腰とフトンとの間に薄板をスベリ込ませ腰下がりを防ぐ、ポンプ稼働でのお湯シャワー作業はフレキシブルホースでシャワー口保持するため、両手で洗浄可能、上半身、下半身のぬれを防ぐ目的で防水布付きポールを立てて行う腰部洗浄機能付きベット。
【発明の詳細な説明】
【技術分野】
【０００１】  本発明は、腰部洗浄に使用中のベット上でお湯シャワーが使用が出来る機能を備えたベットである。
【背景技術】
【０００２】  従来の腰部洗浄、オムツ取り替え行為には「便等が堅くこびりついている時はとても難儀する」の話には容易に理解出来る。
【発明の開示】
【発明が解決しようとする課題】
【０００３】  従来の腰部洗浄、オムツ取り替え方法は、知る限りではいくら清潔を心掛けたとしても感染症、皮膚病予防には１００％の効果を望むことは難しいと推定できる。
【課題を解決するための手段】
【０００４】  本発明はより清潔作業を考え洗浄、オムツ取り替え時に必要量のお湯シャワーを使用する、腰部分の汚れはすぐに柔らかくなり容易に落とし易く、吐出量調節でお湯の無駄も少なく、そして作業能率が向上し感染症、皮膚病も防ぎやすい。【０００５】  お湯シャワー作業時ベットの下半身部分を後ろに下げるため、ベット、マットレス、敷きフトンは二分割に出来る作りで構成する。【０００６】  二分割された間に洗浄機能付きワゴンを差し入れ防水布ポールを立ててシャワー洗浄作業を行う。【０００７】  本発明はお湯シャワーでの洗浄作業により、確実に近い感染症、皮膚病予防効果をめざした。【０００８】  本発明は介護を受けている人が使用しているベットから他に移る事なくそのまま洗浄作業をしてもらえる方法を採用した。
【発明の効果】
【０００９】  腰部洗浄、オムツ取り替え介護行為は夫婦間でもお互い厳しい負担を感じる、それを家族まして他人にしてもらう事は、恥ずかしさ、自尊心、尊厳から絶対拒否したいが本音である。  それを避けられない現実を見据えると上述の洗浄方法は介護行為をする人、受ける人、共々に少しでも心のやすらぎが与えられる。【００１０】  介護に従事する人の負担を軽くする事は、介護作業の厳しさ等で離職する人は多いと聞くが、本発明は離職減少に寄与する事が出来る。
【発明の実施するための最良の形態】
【００１１】  以下、本発明の実施の形態を図１〜図６に基づいて説明する。
【００１２】  図１は通常のベットとしての使用形態である。
【００１３】  図２は洗浄作業に入る前に作業負担を少なくするため動力利用でベットを上げた状態である。
【００１４】  図３は洗浄に要する機能を収納したワゴンである、各部の３−Ａは枠にネットが張ってあり腰の下部からも洗える、（衛生観念から各人専用としてネットは洗浄を繰り返し使用する事が可能）３−Ｂは洗浄スペースになる排水口付き傾斜台、３−Ｃはポンプ内蔵の給湯タンク、３−Ｄは排水受けタンク、３−Ｅは汚物入れ、３−Ｆは別人使用時の交換用ネット収納、３−Ｇはフレキシブルシャワーホース、３−Ｈは防水布付きポール。
【００１５】  図４はベット下半身部分は耐久スライドレール使用の後ろに引き出した状態図
【００１６】  図５は作業準備完了図
【００１７】  図６はベット下半身部分を引き出す際に腰がワゴン差し入れまで下がり止め用として腰と敷き布団の間に差し入れるウス板。
【図面の簡単な説明】
【００１８】
【図１】  通常使用ベット斜視図
【図２】  作業のためベット上げた図
【図３】  洗浄機能搭載ワゴン
【図４】  ワゴン差し入れる目的で下半身部分を後ろに下げた図
【図５】  作業準備完了図
【図６】  腰と敷き布団の間に差し入れるウス板
【符号の説明】
【００１９】
【図５】
【図１】
2010022793.tif 000003
【図２】
2010022793.tif 000004
【図３】
2010022793.tif 000005
【図４】
2010022793.tif 000006
【図５】
2010022793.tif 000007
【図６】
2010022793.tif 000008
(57)【要約】      （修正有）【課題】一般的な敷き布団に横になって寝ると腰が頭や足よりも重いので腰が沈んで背骨が曲がって寝返りが打ちにくく神経の働きが悪くなり病気の原因にもなりかねません。逆に硬すぎる敷き布団は背骨は伸びますが背中が痛くて寝心地が悪く血行を妨げたりします。【解決手段】波形の紙を中芯にしてボール（板状）紙に接着することにより強度が増し、板状のコピー用紙３枚を重ねた時よりも耐久力が飛躍的に向上したことの証明になります。この段ボールの三層中芯波板構造を参考にして発明したものです。段ボール紙とは比較にならない耐久力の厚さ５ｍｍのポリ塩化ビニールの波板を中芯とし，上面側に上部のみ凸凹の板状の高反発ウレタンを設け、下面側に板状の高反発ウレタンを設けた。三層中芯波板敷き布団に寝ると、敷き布団の面全体で腰部の体重を受け止め腰部が沈みません。【選択図】図１
2010022796.tif 000002
【特許請求の範囲】
【請求項１】
ポリ塩化ビニールの波板を中芯とし上面側に上部のみ凸凹の板状の高反発ウレタンを設け、下面側に板状の高反発ウレタンを設けた三層中芯波板を特徴とする敷き布団
【発明の詳細な説明】
【技術分野】
【０００１】一般的な敷き布団に寝た時に腰部が沈みますが、三層中芯波板敷き布団は腰部が沈まない構造です。その製造方法に関する。
【背景技術】
【０００２】一般的な敷き布団は天然繊維、化学繊維を布団皮地に入れ縫製加工したものである。
【発明の開示】
【発明が解決しようとする課題】
【０００３】一般的な敷き布団に横になって寝ると腰が頭や足よりも重いので腰が沈んで背骨が曲がって寝返りがうちにくく神経の働きが悪くなり病気の原因にもなりかねません。逆に硬すぎる敷き布団に寝れば背骨は伸びますが背中が痛くて寝心地が悪く血行を妨げたりします。
【課題を解決するための手段】
【０００４】次の説明により解決できる。本発明は段ボールの断面図と同じ構造です。
段ボールは波状の紙をボール（板状）紙の内側につけたものです。
一般的な段ボールはコピー用紙くらいの紙質のものを使用していますが、段ボール箱に加工するとみかんを発送しても十分耐久力があります。これは波形の紙を中芯にしてボール（板状）紙に接着することにより強度が増し板状のコピー用紙３枚を重ねた時よりも耐久力が飛躍的に向上したことの証明になります。
この段ボールの三層中芯波板構造を参考にして発明したものです。段ボールとは比較にならない高耐久力の厚さ５ｍｍのポリ塩化ビニールの波板を中芯とし上面と下面を板状の高反発ウレタンを設けた三層中芯波板敷き布団に寝ると、敷き布団の面全体で腰部の体重を受け止め腰部が沈みません。
【発明の効果】
【０００５】本発明の敷き布団に寝れば腰部が沈まなくて寝返りが打ちやすく快適な寝心地が得られる。
【発明を実施するための最良の形態】
【実施例】
【０００６】本発明の敷き布団を図面を参照にして説明する。
［図４］一般的な敷き布団に寝た時の寝姿勢、腰部が沈んでいる。
［図３］本発明、三層中芯波板敷き布団の寝姿勢、腰部が沈まない。
【図面の簡単な説明】
【０００７】
【図１】本発明の実施の形態による三層中芯波板敷き布団の断面図です。
【図２】本発明の実施の形態による三層中芯波板敷き布団の斜視図です。
【図３】本発明の実施の形態による三層中芯波板敷き布団での寝姿勢です。
【図４】一般的な敷き布団での寝姿勢です。
【図１】
2010022796.tif 000003
【図２】
2010022796.tif 000004
【図３】
2010022796.tif 000005
【図４】
2010022796.tif 000006
(57)【要約】【課題】本発明は、トイレットペーパーとその容器である。通常は１枚の紙がロール状になっているが、両手で方形に合わせなければならず手間がかかるため、あらかじめ方形になっているトイレットペーパーとその容器を提供する。【解決手段】方形にカットされた紙を重ねるか、方形になるように交互に折り畳む。容器は、箱型の容器を上部、底部、正面部がそれぞれ中の紙を取り出しやすいように開ける。【選択図】図７
2010022799.tif 000002
【特許請求の範囲】
【請求項１】
方形にカットされた紙を重ね、束にした新しい形状のトイレットペーパー。
【請求項２】
繋がった１枚の紙を方形になるように交互に折り畳んだ新しい形状のトイレットペーパー。
【請求項３】
請求項２の折り目にミシン目を設けた新しい形状のトイレットペーパー。
【請求項４】
上部と正面部と底部が紙を取り出しやすいように、全面、または一部が開いていて、開け閉めが可能な覆いがついたトイレットペーパーを入れるための容器。
【請求項５】
上部と正面部と底部が紙を取り出しやすいように、全面、または一部が開いているトイレットペーパーを入れるための容器。
【請求項６】
請求項３の容器の背面に、既設のトイレットペーパーのホルダーを止めているネジのネジ穴に対応したネジ穴が開けられていて、壁に固定できるトイレットペーパー用の容器。
【請求項７】
請求項４の容器の背面に、既設のトイレットペーパーのホルダーを止めているネジのネジ穴に対応したネジ穴が開けられていて、壁に固定できるトイレットペーパー用の容器。
【請求項８】
請求項３の容器の背面に、両面テープがついていて、壁に固定できるトイレットペーパー用の容器。
【請求項９】
請求項４の容器の背面に、両面テープがついていて、壁に固定できるトイレットペーパー用の容器。
【発明の詳細な説明】
【技術分野】
【０００１】  本発明は、便所で使用するトイレットペーパーとその容器であって、従来のものを改良した新しい形状のトイレットペーパーとその容器に関するものである。
【背景技術】
【０００２】  従来、便器で用を足した後、トイレットペーパーを使うということがなされている。
このとき、繋がった１枚のトイレットペーパーをロール状にして使われていることは知られている。
【発明の開示】
【発明が解決しようとする課題】
【０００３】  トイレットペーパーをロール状にして使用するとき、次のような問題があった。
ロール状のトイレットペーパーを使用するとき、両手を使い自分の使いたい大きさに合わせなければならず手間がかかる。また、運送の際、その形状により効率良く運べずコストがかかる。
本発明は、以上の問題点を解決し、あらかじめ方形にセットなされているものである。
【課題を解決するための手段】
【０００４】  従来と同じトイレットペーパー用の紙を形状のみ変え、容器もそれに合うようにする。
トイレットペーパーの形状としては、使いやすい大きさの方形にカットされた１枚を重ね、束にする。または、従来のロール状になる前のものを、使いやすい大きさの方形になるように交互に折り畳むように束にする。その折り目にはミシン目を設けるのもよい。
容器は、そのトイレットペーパーのサイズに合わせ、箱型のものを、上部の全面、底と正面の一部を開け、取り出しやすいようにする。
本発明は、以上の構成によりなる新しい形状のトイレットペーパーとその容器である。
【発明の効果】
【０００５】  本発明は、あらかじめ使いやすい大きさの方形になっているので、自分で大きさを合わせる必要がなく、手間がかからない。また、輸送の際にも従来のものより効率よく運べ、コストを削減できる。
【発明を実施するための最良の形態】
【０００６】  従来のトイレットペーパー用の紙を、使いやすい大きさの方形にカットし、それを重ね、束にする。これが方形にカットされた紙（１）を重ねた新しい形状のトイレットペーパーである。【０００７】  従来のトイレットペーパー用の紙を、使いやすい大きさの方形になるように交互に折り畳み束にする。折り目にはミシン目（２）を設けるのもよい。これが方形になるように交互に折り畳んだ新しい形状のトイレットペーパーである。【０００８】  箱型の容器に上部は全面、正面の真ん中部分と底の手前部分は手が通るほどの大きさの開き（３）を設ける。開閉可能な蓋（４）を設けるのもよい。背面に従来のトイレットペーパーの容器を取り付けているネジ穴に対応したネジ穴（５）を設ける。または、両面テープ（６）をつける。
本発明は以上の構成によりなる。
本発明を使用する場合は、容器を壁にネジか両面テープで取り付け、容器に入っているトイレットペーパーを使いたい厚さ分だけ取り出し、使う。
【図面の簡単な説明】
【０００９】
【図１】［０００６］で説明した新しい形状のトイレットペーパーの斜視図
【図２】［０００７］で説明した新しい形状のトイレットペーパーの側面図
【図３】容器の斜視図
【図４】容器の上面図
【図５】ネジ穴がついている容器の背面図
【図６】両面テープがついている容器の背面図
【図７】新しい形状のトイレットペーパーを入れた容器の斜視図
【符号の説明】
【００１０】  （１）方形にカットされた紙、（２）ミシン目、（３）開き、（４）開閉可能な蓋
（５）ネジ穴、（６）両面テープ
【図１】
2010022799.tif 000003
【図２】
2010022799.tif 000004
【図３】
2010022799.tif 000005
【図４】
2010022799.tif 000006
【図５】
2010022799.tif 000007
【図６】
2010022799.tif 000008
【図７】
2010022799.tif 000009
(57)【要約】【課題】  靴内に置ける多湿による蒸れを軽減し長期間使用できるインソール（中敷き）にする。【解決手段】靴（履き物）を履いた時に生じる靴内での多湿を軽減するために吸湿排湿に優れた特徴を持つ、動物の皮をなめして加工した革を利用し、インソール（中敷き）表面と成る面に革を用いて靴内の湿気を吸収し多湿による蒸れを緩和し、更に長期間使用できるようにインソール裏面と成る面にシリコーン系素材やガラス繊維または合成樹脂繊維を貼着しインソールの強度と靴内での遊動防止得た。図２は、色や質またはデザインが異なる二枚の革にガラス繊維や合成樹脂繊維を入れて貼着し、強度と遊び心を持たせた履き物用革インソール。【選択図】図２
2010022614.tif 000002
【特許請求の範囲】
【請求項１】
動物の皮をなめして加工した革を靴内底の形に合わせて削成し裏面と成る面にシリコーン系素材やガラス繊維または合成樹脂繊維を貼着し、削成したインソールの強度と靴内底での遊動防止を持たせた履き物用革インソール。
【請求項２】
色や質またはデザインが異なる二枚の革を接着剤または粘着テープで貼り合わせ遊び心を持たせた革インソール。また二枚の革と革の間にガラス繊維や合成樹脂繊維を入れて貼り合わせ削成し、強度を持たせた履き物用革インソール。
【発明の詳細な説明】
【技術分野】
【０００１】
本発明は、靴を履いた時に発生する靴内の多湿による蒸れを軽減するために革を用いて靴内の蒸れを軽減する履き物用インソールに関する。
【背景技術】
【０００２】
靴を履いた時、靴内での多湿を防ぐために合成樹脂製インソールに数多くの穴や凹凸を設けて通気性を良くし靴内から湿気を排出し靴内を快適にすると言うインソールが有るが、靴内に挿入して見ると靴内底面とインソール裏面とが密接状態に成るため通気性が失われてしまう。
【０００３】
靴内の高温多湿を防ぐためインソールの通気性を良くし、更にサラサラ感を得るため足裏と接する面に合成繊維を使用したインソールは靴内の湿度が上昇するとサラサラ感も感じなくなる。
【０００４】
通気性を備えたインソールに通気性の有る活性炭シートや吸湿シートを用いたインソールは吸湿し靴内は多湿にならずに快適になるが、活性炭や吸湿シートの効力が無くなると靴内は蒸れてしまう。
【０００５】
通気性を備えたインソールのほとんどは、インソールの裏表間に空気が抜ける穴または空間を設け通気性を良くして蒸れ防止とあるが、実際にインソールを靴内に挿入して見ると靴内底面とインソール裏面とが密接状態に成るため通気性が失われてしまい蒸れてしまう。
【特許文献１】特開２００１−１４９１０９号公報
【特許文献２】特開２００５−６８２３３号公報
【発明の開示】
【発明が解決しようとする課題】
【０００６】
問題点は、従来のインソールは多湿による靴内の蒸れを長期間軽減し維持する事が難しい。
【課題を解決するための手段】
【０００７】
本発明は,靴を履いて起こる靴内の多湿による蒸れを軽減するために吸湿と排湿に優れている革を靴内底の形に合わせ削成し、革の裏面と成る面にシリコーン系素材やガラス繊維または合成樹脂繊維などを貼着し強度と遊動防止を得る事を特徴としている。
【発明の効果】
【０００８】
本発明の革インソールは革の吸湿効果で靴内の多湿による蒸れを軽減し遊動防止にも優れている。また吸湿した湿気は靴を脱ぐと直ぐに排湿するため靴内を快適状態に保ち、更に強度を持たせたインソールは軽量かつ薄く丈夫なため長期間使用できる利点がある。異なる二枚の革を貼り合わせ遊び心を持たせた革インソールは、その日の気分に合わせて裏返しして楽しむ事ができる利点がある。
【発明を実施するための最良の形態】
【０００９】
本発明の多湿による靴内の蒸れを軽減し長期間使用できるようにするという目的を、最小の部品数でしかも極薄で実現できた。また、実施の実歩行には三ヶ月間使用（宅配業で使用）した革インソール使用した。
【実施例１】
【００１０】
図１は、革（図１−１）とシリコーン系素材（図１−２）などを貼着し削成した革インソール。
【００１１】
革自体では、強度的にも弱いためシリコーン系素材（図１−２）を貼着して歩行実験したところ靴内底面とシリコーン系素材（図１−２）との摩擦が大きいため革インソールが靴内で遊動しなくて済んだ。
【実施例２】
【００１２】
図２は、革インソールに遊び心（ファッション性）を持たせるために革（図２−１、色−茶色）と革（図２−３、色−メタリックレッド）の異なった二枚の革とガラス繊維（図２−２）を接着剤で貼り合わせた状態。
【００１３】
実歩行には三ヶ月間使用（宅配業）した革インソールを使いどれだけの吸湿力が有るか調べてみた、歩行時間は各３５分で行った結果は下記−表１の通りである。
【００１４】
【表１】
2010022614.tif 000003
【００１５】
表１を見ると革インソールの有無で各靴内の湿度は５％から１０％の違いが出た、シューズは通気性の良い編み目シューズを使った為か湿度差は５％と少なかったが全体で良い結果がでた。更に体感できるか靴で実験してみた、右靴だけに革インソールを入れ歩行したところ歩行から２０分位で左右の湿度の違いを感じ３５分位から左足に蒸れを感じるように成った。
【００１６】
上記から三ヶ月使用した革インソールでも湿気の吸湿効果が有り靴内の蒸れを軽減する事ができ、革インソールの遊動も無かった。
【産業上の利用可能性】
【００１７】
合成革靴や合成樹脂製靴の靴内底に貼着し、靴蒸れの少ない靴として利用できる。
【図面の簡単な説明】
【００１８】
【図１】革インソールの実施方法を示した説明図である。（実施例１）
【図２】革インソールの実施方法を示した説明図である。（実施例２）
【符号の説明】
【００１９】
１    革（茶色）
２    シリコーン系素材やガラス繊維または合成樹脂繊維
３    革（メタリックレッド色）
【図１】
2010022614.tif 000004
【図２】
2010022614.tif 000005
(57)【要約】【課題】使用者の歯牙形状を再現した精度の高いマウスピースを簡単に短時間で作製することが可能なマウスピースの作製方法を提供する。【解決手段】軟化させた熱可塑性シート材を、印象用トレーに盛った歯科用印象材の上に置き、熱可塑性シート材側から歯牙に圧接させて作製することを特徴とするマウスピースの作製方法。あるいは、軟化させた熱可塑性シート材を歯牙に当て、歯科用印象材を盛った印象用トレーをその上から圧接させて作製することを特徴とするマウスピースの作製方法とする。【選択図】  なし【特許請求の範囲】
【請求項１】
軟化させた熱可塑性シート材を、印象用トレーに盛った歯科用印象材の上に置き、熱可塑性シート材側から歯牙に圧接させて作製することを特徴とするマウスピースの作製方法。
【請求項２】
軟化させた熱可塑性シート材を歯牙に当て、歯科用印象材を盛った印象用トレーをその上から圧接させて作製することを特徴とするマウスピースの作製方法。
【発明の詳細な説明】
【技術分野】
【０００１】
本発明は、歯牙の漂白，歯軋り防止，顎関節症の治療や各種スポーツ競技等に用いられるマウスピースの作製方法に関する。
【背景技術】
【０００２】
従来から、歯牙の漂白，歯軋り防止，顎関節症の治療や各種スポーツ競技用として、マウスピース（マウスガード，マウスプロテクター，ナイトフォームプレガード等とも言う）と呼ばれる弾性を有する材料で歯牙を覆う器具が使用されている。
【０００３】
マウスピースには、歯牙形状を覆うよう予め整形された既成のマウスピースの他に、シート状のポリオレフィン系ゴム材料やエチレン−酢酸ビニルコポリマー等の熱可塑性樹脂を使用者が加熱して軟化させ歯牙に指で押し当てて（圧接して）整形するマウスピースがある。しかし、既成のマウスピースでは精度が悪い問題があり、使用者が作製するマウスピースも精度が高いものは作製できないという問題があった。
【０００４】
使用者の歯牙形状を正確に再現したマウスピースとして、歯科医あるいは歯科技工士が作製するカスタムメイドのマウスピースもある。このマウスピースの作製は、歯科用印象材を用いて使用者の歯牙形状の印象を採取し、採得した歯科用印象材に歯科用石こうを流し込むことで使用者の歯牙形状を再現した石こう模型を作製し、この石こう模型を用いて熱可塑性樹脂からなる熱可塑性シート材を加熱器と吸引機とが備わった加熱吸引式のマウスピース作製装置によって作製される。マウスピース作製装置の使用方法の一例としては、熱可塑性シート材を固定枠に固定し、一般的には上部に備えられた４００〜７００Ｗのヒーターで数分間加熱することにより熱可塑性シート材を加熱して軟化させ、吸引口が設けられているバキューム台内に設置された石こう模型上に押し当てて熱可塑性シート材と石こう模型との間の空気を吸引することにより熱可塑性シート材を石こう模型に合わせて成形することによってマウスピースを作製する（例えば、特許文献１参照。）。
【０００５】
このようにカスタムメイドのマウスピースは歯牙形状の再現精度が高いものの、その作製には多大な手間と時間が必要となる問題があった。
【特許文献１】実登第３０８３６９７号公報
【発明の開示】
【発明が解決しようとする課題】
【０００６】
そこで本発明は、使用者の歯牙形状を再現した精度の高いマウスピースを簡単に短時間で作製することが可能なマウスピースの作製方法を提供することを課題とする。
【課題を解決するための手段】
【０００７】
本発明者は前記課題を解決すべく鋭意研究を重ねた結果、従来、軟化させた熱可塑性シート材を口腔内で手指にて圧接成型していた作製方法において、熱可塑性シート材を均等に且つ迅速に圧接する方法として歯科用印象材を用いれば、前記の課題を解決可能であることに着目して本発明を完成した。
【０００８】
即ち本発明は、軟化させた熱可塑性シート材を、印象用トレーに盛った歯科用印象材の上に置き、熱可塑性シート材側から歯牙に圧接させて作製することを特徴とするマウスピースの作製方法。あるいは、軟化させた熱可塑性シート材を歯牙に当て、歯科用印象材を盛った印象用トレーをその上から圧接させて作製することを特徴とするマウスピースの作製方法である。
【発明の効果】
【０００９】
本発明は、使用者の歯牙形状を再現した精度の高いマウスピースを簡単に短時間で作製することが可能な優れたマウスピースの作製方法である。
【発明を実施するための最良の形態】
【００１０】
本発明で用いる熱可塑性シート材は、従来からマウスピースに使用されていたものが使用可能である。本発明方法は加熱したシート材を口腔内で素早く使用することが好ましいので低軟化点を有する熱可塑性樹脂からなるものが好ましい。プラスチック弾性体をベースとした熱可塑性樹脂材料で約６０℃〜約１００℃程度の熱湯で軟化しマウスピースに加工可能なものが好適であり、このような熱可塑性樹脂材料としては、ポリオレフィン系ゴム材料，エチレン−酢酸ビニルコポリマー等がある。本発明方法では、歯科用印象材を用いて圧接を行うために軟化時に変形し易い方が好ましいことから、熱可塑性シート材の厚さは０．３〜１．５ｍｍのフィルム状であることが好ましい。
【００１１】
本発明方法で使用する印象用トレーは、一般的に歯科治療において使用されている印象用トレーを制限無く使用することができる。材質も、使用する歯科用印象材に合わせて金属やプラスチック製のものを適宜選択すればよい。勿論、既成の印象用トレーであってもカスタムメイドの個人トレーであっても構わない。
【００１２】
本発明方法で使用する歯科用印象材も、一般的な歯科用印象材がそのまま使用可能である。歯科用印象材としてはアルギン酸塩印象材やシリコーン印象材がある。歯科用印象材の使用時の固さ（粘弾性）は、組み合わせて使用される前記熱可塑性シート材の軟化時の変形のし易さに合わせて最適なものを選択すればよい。
【００１３】
本発明方法の一つ目は、軟化させた熱可塑性シート材を、印象用トレーに盛った歯科用印象材の上に置き、熱可塑性シート材側から歯牙に圧接させて作製することを特徴とするマウスピースの作製方法である。熱可塑性シート材をヒーターや温水等で十分に軟化させた後、歯科用印象材と共に歯牙に圧接し、熱可塑性シート材が外部からの力で蘇生変形しない温度になったら口腔内から撤去し、歯科用印象材と分けてから洗浄して不要な部分を取り除きトリミングを行い完成となる。
【００１４】
本発明方法の二つ目は、軟化させた熱可塑性シート材を歯牙に当て、歯科用印象材を盛った印象用トレーをその上から圧接させて作製することを特徴とするマウスピースの作製方法である。熱可塑性シート材をヒーターや温水等で十分に軟化させた後、歯牙に当てる。このとき、熱可塑性シート材を軽く圧接して歯牙から外れ難くしてもよい。その後、速やかに歯科用印象材と共に歯牙に圧接し、熱可塑性シート材が変形しない温度になったら口腔内から撤去し、歯科用印象材と分けてから洗浄して不要な部分を取り除きトリミングを行い完成となる。
【００１５】
本発明方法においては、硬化前のペーストが比較的固い歯科用印象材を用いる場合に歯牙のアンダーカットを予め埋めたり、歯牙表漂白用のマウスピースを作製する場合に漂白材を留める空間を確保したりするために、ワックス類をアンダーカット等に適用する操作を加えてもよいのは当然である。
(57)【要約】      （修正有）【課題】手打ちうどん・そばの麺切駒板を安定させる、さらに、包丁ストッパ−の左右の調節ができ、切り幅も自由に変えることが出来る、初心者の人でも安全かつ簡単に使用でき均一な麺切が出来る、手打ちうどん・そばの麺切駒板を提供する。【解決手段】ガイド平板１に麺切ガイドロ−ラ−２を取付け取っ手３に包丁ストッパ−４と調節ダイヤル５とガイド平板安定ロ−ラ−を取付けて、それをガイド平板１に取付けたものを特徴とする。【選択図】図１
2010022343.tif 000002
【特許請求の範囲】
【請求項１】
ガイド平板（１）に、麺切台ガイドロ−ラ−（２）を取付け更に、取っ手（３）に、包丁ストッパー（４）と、調節ダイヤル（５）と、ガイド平板安定ロ−ラ−（６）を取付けた物を、ガイド平板（１）に取付けた、手打ちうどん・そば麺切駒板。
【発明の詳細な説明】
【発明の詳細な説明】
【産業上の利用分野】
【０００１】この発明は、初心者でも麺切の幅が自由に変えられ、均一かつ安全な麺切ができる。
【背景技術】
【０００２】従来より、麺切作業は高度な技術と、長年の訓練が必要であった。
【発明が解決しようとする課題】
【０００３】従来より、麺切作業に使用されている駒板では、高度な技術と長年の訓練が必要で、初心者では切幅のばらつき、麺の曲がりが見られた本発明は、これらの欠点を解決するためになされたものである。
【課題を解決するための手段】
【０００４】ガイド平板（１）に、麺切台ガイドロ−ラ−（２）を取付け更に、取っ手（３）に、包丁ストッパ−（４）と、調節ダイヤル（５）と、ガイド平板安定ロ−ラ−（６）を、ガイド平板（１）に取付けた、本発明は、以上のような構成よりなる、手打ちうどん・そばの麺切駒板である。
【発明を実施するための最良の形態】
【０００５】以下本発明の実施例について説明する。
（イ）  ガイド平板（１）に、麺切台ガイドロ−ラ−（２）を取付ける。
（ロ）  取っ手（３）に、包丁ストッパ−（４）と、調節ダイヤル（５）とガイド平板安定ロ−ラ−（６）を取付ける。
ガイド平板安定ロ−ラ−（６）を、蝶ネジ（７）で止める
（ハ）  （ロ）を、ガイド平板（１）に取付ける
本発明は以上のような構造でこれを使用する時は、麺切台（８）の上にうどん又はそばの麺（９）をのせその上に本発明の手打ちうどん・そばの麺切駒板を乗せる、取っ手（３）を軽く握り一回麺（９）を切る、そのままの状態で、包丁ストッパ−（４）に包丁の背の部分が軽く当たるまで傾けるとそこに間があく（これが切幅となる）のでそこを切る、これらの動作を繰り返し切り進む、ガイド平板安定ロ−ラ−（６）の使い方は麺が、ガイド平板（１）にかくれたら、蝶ネジ（７）をゆるめて、麺切台（８）の上面に当たるまで下げて、蝶ネジ（７）で止める。
【発明の効果】
【０００６】これには次のような効果がある。
（イ）  麺切台ガイドロ−ラ−を取り付けたことで、麺切台にそって進むので手打ちうどん・そばの麺切駒板が曲がらない。
（ロ）  包丁ストッパ−の取付けにより均一な麺切ができる。
（ハ）  調節ダイヤルを回すことで、包丁ストッパ−の位置が自由に変えられるので切幅も自由に変えられる。
（ニ）  ガイド平板安定ロ−ラ−を取付けたことで、手打ちうどん・そばの麺切駒板が傾かず平らなまま麺切が終了できる。
本発明は、これらの効果をもたらすものである。
【図面の簡単な説明】
【図１】本発明の斜視図である。
【図２】本発明の側面斜視図である。
【図３】本発明の後面斜視図である。
【図４】本発明の使用状態を示す参考図である。
【符号の説明】
１  ガイド平板
２  麺切台ガイドロ−ラ−
３  取っ手
４  包丁ストッパ−
５  調節ダイヤル
６  ガイド平板安定ロ−ラ−
７  蝶ネジ
８  麺切り台
９  うどん・そばの麺
【図１】
2010022343.tif 000003
【図２】
2010022343.tif 000004
【図３】
2010022343.tif 000005
【図４】
2010022343.tif 000006
(57)【要約】【課題】本発明は、農産物等の育成を促進するバクテリアの生産、その他に関して、より簡便にバクテリアの増殖、減少を数値でリアルタイムに測定する測定器を提供するためのものである。【解決手段】本発明は、バクテリアが生存する溶液中の増減を量るため、バクテリアの誘電率の変化に着目し、これを、静電容量に変換し測定するもので、数ミクロンの変化を測定する容量回路を採用した測定器である。【選択図】図１
2010022342.tif 000002
【特許請求の範囲】
【請求項１】
バクテリアを測定する絶縁された２本の電極棒と、その電極棒を支持する台、電極棒の信号を検知し、バクテリア溶液の誘電率を数ミクロンの単位で静電容量に変換する回路、その信号をアナログからデジタルに変換する回路、デジタル信号を処理する回路、処理した信号を表示する表示回路を備え、バクテリアの増減を表示、記録することを特徴とするバクテリア増減測定器。
【発明の詳細な説明】
【技術分野】
【０００１】本発明は，バクテイア（また、微生物との呼称）の増殖の変化を誘電率の変化で捕え，容量変化に換算して数値で表示する測定器に関する。
【背景技術】
【０００２】従来，特に農業分野、樹木等の園芸，の育成に近年，盛んにバクテリアが利用されている。このバクテリアの増加、減少を簡易にリアルタイムに数値で表示できればよりバクテリアの利用効果が促進されるのもである。
【発明の開示】
【発明が解決しようとする課題】
【０００３】しかしながら，かかるバクテリアの増減測定を調べる方法は、顕微鏡で観察する方法，光学分析機または、化学分析機等で現在は行われているのが一般的である。
この方法では，バクテリアの増減をリアルタイムで数値で測定することが出来なかった。
【課題を解決するための手段】
【０００４】この問題を、今回，バクテリアの持つ誘電率の変化捕えて、静電容量の変換に換算して測定する方法を開発した。
一般に、バクテリアは数ミクロンの大きさのため、この測定には誘電率の変化を数ミクロン単位（１０−１５  Ｆ）で測定できる事が条件であるため、信号の検知が数ミクロンで動作する検知回路を採用した。
この信号をデジタル信号に変換し数値表示し、リアルタイムでバクテリアの増減を測定できることを特徴とする。
【発明の効果】
【０００５】本発明のバクテリア増減測定器によれば、今まで感に頼っていたバクテリアの増加、減少が数値でリアルタイムに変化を捕えることができ、バクテリアの増殖、生産が効率良くできる様になった。
【発明を実施するための最良の形態】
【０００６】以下、図面を参照をして本発明の実施形態に係るバクテリア増減測定器について説明する。まず、図１を参照してバクテリア増減測定器の構成を説明する。
このバクテリア増減測定器は信号処理回路、２本の絶縁された電極棒を有した検知回路で構成するものである。
この信号処理回路は表示回路（ＬＣＤ）、電源を有し、検知回路と接続されているものである。
【実施例】
【０００７】図１に示すように、バクテリア増減測定器は、測定するバクテリアを入れる容器１と、バクテリアの増減を検知するセンサー電極棒２、３、この電極棒は導電性の電極棒を誘電率の低い絶縁膜で覆い、バクテリア容液と絶縁されている。電極棒を支持する低誘電率の絶縁材台４、この支持台の２本の電極棒はある程度離され、電極棒も導電性の丸棒、または、角棒等を使用する。
この電極棒でセンサー信号査検知し誘電率の変化を静電容量に変換する回路また、その信号をＡ／Ｄ変換する回路７、電極棒２、３と７の回路を接続する信号線５，６、７の信号出力を取り込み処理する回路９、９の処理回路と７の検知回路を結ぶ信号線８、９の処理回路（ＣＰＵ）で処理したデータを数値表示（液晶ＬＣＤ）する回路１０、バクテリア増減測定器全体に電源を供給する電源回路１１で実施されている。【０００８】つぎに、図２を参照して、バクテリア増減測定器が行う回路動作について、説明する。
電極棒２，３で検知された信号はバクテリ信号検知回路７に入力され、この回路の信号を検知し誘電率変化を静電容量に変換する回路７−Ａ、そのアナログ信号をデジタルに変換するＡ／Ｄ変換回路７−Ｂよりなり、バクテリアの増減を測定出来る様に実施されている。
【産業上の利用可能性】
【０００９】近年、地球規模で食糧事情が問題になっており、食の安全、無農薬化が必要になってきており、バクテリアを利用した農産物等の育成は急務になって来ており、質の高いバクテリアの生産、増産が必要になって来ている。
この分野で、簡易にバクテリア増減を測定出来る装置が必要のため、今回開発した。
【図面の簡単な説明】
【００１０】
【図１】  本発明の実施形態に係るバクテリア増減測定器を示すブロック図である。
【図２】  本発明の実施形態に係るバクテリア増減測定器のセンサー信号を検知する回路及びＡ／Ｄ変換回路である。
【符号の説明】
【００１１】１…バクテリアを入れる容器，２…バクテリアを測定するサンサーの電極棒，３…２に同じ電極棒，４…電極棒を支持する台，５…２の電極棒の接続線，６…３の電極棒の接続線，７…センサーの電極棒の信号検知回路，８…７の信号を伝送する信号線，９…信号の処理回路（ＣＰＵ），１０…９で処理した信号を数値により表示する表示回路（ＬＣＤ），１１…測定器に電源を供給する電源回路，７−Ａ…電極棒のセンサー信号の誘電率を静電容量に変換し、処理する回路，７−Ｂ…７−Ａのアナログ信号をデジタルに変換するＡ／Ｄ変換回路，
【図１】
2010022342.tif 000003
【図２】
2010022342.tif 000004
(57)【要約】【課題】      資材の少ない家庭菜園現場で鳥や動物に対し効果的な防鳥・防獣対策網を簡単に設置でき、しかも作業性を損なわない高さで必要な広さを確保できるような防御網を開発をすること。【解決手段】      防御網を家庭菜園の広さと形状に合わせ天井４を多角形に加工し、天井部各辺から高さ（長さ）と、地面に沿わせる長さを加えた寸法で裁断した各側面５．６．７．８を天井各辺に接続し、各側辺同志を結合する結合手段を設け、組立時に隣接する側面部同志を地面まで繋ぎ地面に沿わせた部分に錘を設置することで防鳥・防獣対策が出来る。【選択図】図１
2010022349.tif 000002
【特許請求の範囲】
【請求項１】
多角形からなる天井部と、天井部の各辺から延長された側面部とからなる防御網であって、側面部の先端には錘を設置できるように地面に接する部分を設け、側面部の側辺同志を結合させるための結合手段を設けることを特徴とする多角形式防鳥網。
【発明の詳細な説明】
【技術分野】
【０００１】        本発明は、家庭菜園で成熟した農作物を、鳥や動物からの被害を防ぐ為、簡易に、設置できるようにしたものである。
【背景技術】
【０００２】        家庭菜園で鳥や動物からの被害を防ぐ為にいろいろな防鳥網が考えられている。
例えば登録実用新案第３１０６０５６号公報には図５に示すように傘状の防鳥網が記載されている。
軽量化するためにＦＲＰの骨を使用し、数平方メートル以下の大きさの広がりのネットとし、しかもそのネットが傘のように開閉でき、必要な作物にかぶせて使用し、その骨のさきは２０〜５０センチメートルを地中に差込、骨に取り付けていないネットの周辺の端に土をかぶせる構造である。【０００３】        また特開平８−１５４５６１号公報には図６に示すようにカール状の防鳥網が記載されている。
魚網質材で任意の大きさ形状に形成した防鳥網１７にカール状化織糸（からみ糸）１８をとりつけ、（化成テープでも良い。）からみ糸１８にからまり伸びきるまで鳥からはなれないので、恐怖の余り二度とよりつかないように、構成されている。【０００４】
【特許文献１】登録実用新案第３１０６０５６号公報
【特許文献２】特開平８−１５４５６１号公報
【発明の開示】
【発明が解決しようとする課題】
【０００５】        しかし登録実用新案第３１０６０５６号に開示されている防鳥網は、ＦＲＰの骨を傘状に広げる構造としている為、強度的に面積の広い菜園には不適である、またネットの周辺の端に土を被せる等手間と労力を要し設置には時間を要する。【０００６】        また特開平８−１５４５６１号に開示されている防鳥網は地面近くに設置されているので人が中で作業が出来ないし取り外すにも時間がかかる、ネットを高くしようとすればカールが大量に要るし、保管には広いスペースが必要で、アライグマ等小動物に対して効果がない。
【課題を解決するための手段】
【０００７】        本発明の多角形式防鳥網はこれらの課題を解決するために発明されたものであって多角形からなる天井部と天井部各辺から延長された側面部とからなる防御網で、側面部の先端部には錘を設置できるように地面に接する部分を設け、側面部の側辺同志を結合させるための結合手段を設けることを特徴としている。
【発明の効果】
【０００８】        多角形にしているためたたみやすく広げやすい、従って保管容積が小さくてすみ、設置と収納管理が容易にできる。また天井を高く（側面部を長く）すれば作物の成熟高さに合わせて支柱での調節が可能になり天井を高くできるため網下での作業効率がよい。多角形の頂点に支柱を立てるので防鳥網の広さが制限されることがない。しかも地面に接する部分には防鳥・防獣に対する重量の錘を設置するだけで侵入防止対策ができる。
【発明を実施するための最良の形態】
【０００９】        以下添付図面に従って本発明を説明する。防御網を図１のように家庭菜園の広さと形状に合わせ、天井部４を設定する、側面部（高さ）５．６．７．８の長さは網下で作業できる寸法１．８ｍと、側面部下部の地面に沿わせ錘を設置する部分９．１０．１１．１２の長さ０．３ｍを加算した寸法２．１ｍを各辺ごとに裁断する、裁断した側面部上部と天井多角形の各辺とを夫夫の位置に取り付け、各頂点には側面部同士を接続する接続紐１３．１４．１５．１６を取り付ける。【００１０】      設置方法を図２に基ずいて説明すると
家庭菜園の外周の各頂点に地上高さ１．８ｍになるように支柱２を必要数地中に打ち込み、支柱上部をロープで結ぶか棒を渡して固定し、その上に多角形式防鳥網の天井部４の各頂点が各支柱上部に合うように広げ、側面部５．６．７．８を地面に向かって１．８ｍさげ、結合紐１４を図のように天井から地面まで支柱２と共に地面まで繋ぐ、他の側面部５．６，７．８，８．９も同様に繋ぎ錘設置部０．３ｍを夫夫外に向かってに広げる。【００１１】        地面に沿わせて広げた接地部９．１０．１１．１２の上に図４のように錘３を設置することで多角形式防鳥網の設置ができる。その結果図３のような多角形式防鳥網の設置ができる。【００１２】        使用方法について
作業する時は１箇所の結合紐を解くか錘を１箇所とって中に入る。アライグマがきても錘があるので入れない。収穫が終われば設置方法とは逆に結合紐を夫夫外し、図１の天井部４の上に側辺部（錘設置部含む）５．６．７．８を重ねて折りたたむことで収納ができる。
【図面の簡単な説明】
【００１３】
【図１】多角形式防鳥網の展開図
【図２】多角形式防鳥網の組立図
【図３】多角形式防鳥網の全体図
【図４】錘設置図
【図５】従来例の図面
【図６】別の従来例の図面
【符号の説明】
【００１４】        １  多角形式防鳥網
２  多角形式防鳥網支柱
３  錘
４  多角形式防鳥網天井部
５．６．７．８  多角形式防鳥網側面部
９．１０．１１．１２  錘設置部
１３．１４．１５．１６  結合紐
１７  カール状防鳥網
１８  カール状化織糸
【図１】
2010022349.tif 000003
【図２】
2010022349.tif 000004
【図３】
2010022349.tif 000005
【図４】
2010022349.tif 000006
【図５】
2010022349.tif 000007
【図６】
2010022349.tif 000008
(57)【要約】【課題】  農作業で苗を植え、樹木を植えた後の、無駄な作業を減らし、効率よく農作業が出来、苗、樹木の保温、保湿、除草用に効果がある木材チップ又は厚紙をプレス成形することで、布設した後に、撤去する事のない自然に帰る植物マットを提供する。【解決手段】  マットの素材を木材チップ又は厚紙を用いて地表に馴染む様に波紋状の波型断面で、柔軟な５〜１０ｍｍの厚みのマット状にプレス成形し、肥料、或いは薬剤等の成分を含有させ、苗、植物の根元に布設する、布設した植物マットは苗、樹木の保温、保湿、除草用に効果があり、マットは自然に腐敗し撤去の必要がないことを特徴とする植物用マット。【選択図】図１
2010022348.tif 000002
【特許請求の範囲】
【請求項１】
マットの素材を木材チップ又は厚紙を用いて地表に馴染む様に波紋状の波型断面で、柔軟な５〜１０ｍｍの厚みのマット状にプレス成形した植物用マット。
【請求項２】
木材チップ又はあつい紙を素材としたマットで肥料、薬剤を含ませ苗、樹木の根元に布設し、苗、樹木の保温、保湿、除草用に有効な請求項１記載の植物用マット。
【請求項３】
木材チップ又は厚紙を素材としたマットで、布設後は自然に腐敗して撤去の必要のない請求項１〜２の内の１項に記載の植物用マット。
【請求項４】
木材チップ又は厚紙を素材として成形し、植木鉢、園芸用品、根巻用補強材として利用できる請求項１〜３の内の１項に記載の植物用マット。
【発明の詳細な説明】
【技術分野】
【０００１】  本発明は、農作業で苗、樹木等を植えた後に敷く園芸用、植物用マットに関する。
【背景技術】
【０００２】  従来は、農作業で苗を植える場合、通常は黒いフイルムを畝の上に敷いた後、植苗等を行っているが、後の作業が著しく制約を受ける。又、フイルムの撤去破棄処分が必要であった。次のような特許公開、実用新案が登録されている。
【特許文献１】特開２００３−９６５３号公報
【発明の開示】
【発明が解決しようとする課題】
【０００３】  本発明は、従来の問題点に着目して、作業が制約を受けない方法と、フイルムの撤去処分が必要でない方法を考慮して、肉厚５〜１０ｍｍのマット状の木材チップ板を大きさ５０×７０ｍｍ位で、作業がし易いような大きさに設定して、畝の上に敷き結め、そのマット状の木材チップ板が布設後は腐敗して撤去の必要がなく、連続使用も可能な木材チップ板の植物用マットを実現するのを目的とする。
【課題を解決するための手段】
【０００４】  本発明は、適厚のマット状の木材チップ板を苗、樹木等を植え、作業が終わった後に根元に被せることにより被せた後も追肥、給水等の作業が容易に可能であり、乾燥防止、保温などフイルム、敷藁等と同等の効果があり、又、撤去の必要がなく、廃材利用等ＣＯ２削減の効果が期待できる。【０００５】  本発明は、マットの素材は木材チップを用いて、地表に馴染む様柔軟にプレス成形し中央の穴を中心に波紋状又は渦巻状の波型断面をした構造とする。成形したマットに肥料或いは、薬剤等の成分を含ませ根元に布設する。以上により苗及び成木にも有効であり、布設後は腐敗するので撤去の必要がなく、連続使用も可能である。
【発明の効果】
【０００６】  上述したように植物用マットは、農作業で苗を植え、樹木を植えた後の、無駄な作業を減らし、効率よく農作業ができ、苗、樹木の保温、保湿、除草用に効果がある。木材チップを５〜１０ｍｍの厚さにプレス成形することで、布設した後に、撤去する事のない自然に帰る効果がある。
【発明を実施するための最良の形態】
【０００７】  以下、本発明の実施の形態を説明する。
本発明は苗、植物用マット１の素材は木材チップを用い成形して木材チップ板２を設け、地表に馴染む様柔軟にプレス成形し中心に穴３を設け、その木材チップ板２を波紋状の波型断面４にし、穴３の中心部から外側或いは渦巻状に切込み５を設ける、植物用マット１に肥料或いは、薬剤等の成分を含ませ苗、植物の根元に布設する。以上により苗及び成木の保温、保湿、除草用にも有効であり、布設後は腐敗するので撤去の必要がなく、連続使用も可能である。
【図面の簡単な説明】
【０００８】
【図１】  本発明の斜視図である。
【図２】  本発明の平面図である。
【図３】  本発明のうず巻状の平面図である。
【図４】  本発明の図２の断面図である。
【図５】  本発明の図３の拡大断面図である。
【図６】  本発明の樹木に使用したうず巻状切込み図である。
【図７】  本発明の樹木に実施した図である。
【符号の説明】
【０００９】  １  苗、植物用マット
２  木材チップ板
３  穴
４  波型
５  切込み
【図１】
2010022348.tif 000003
【図２】
2010022348.tif 000004
【図３】
2010022348.tif 000005
【図４】
2010022348.tif 000006
【図５】
2010022348.tif 000007
【図６】
2010022348.tif 000008
【図７】
2010022348.tif 000009
(57)【要約】【課題】  花壇や菜園に植えた植物の支えに用いる支柱を立てるとき、従来の方法では、その支柱をただ力まかせに地中に挿し込むだけの支柱の立て方であるので、地面の固くなった所に支柱を立てることが容易ではなかったし、又、植木鉢．プランターに、支柱を立てるときにおいても、従来の植木鉢やプランターに支柱を立てる場合においても、支柱を簡単に立てることが出来なかった。【解決手段】  体力に関係なく誰でも簡単にハンマー等を用いて支柱を立てられるように支柱の側面に突起物を形成し成形した支柱である、植木鉢やプランターにおいては支柱を簡単に立てられるように縁どり部分数箇所にメネジを成形し、ネジを有する支柱が簡単に取り付けられるようにしたものである。【選択図】図２
2010022354.tif 000002
【特許請求の範囲】
【請求項１】
花壇や菜園に植えられた植物の補助に用いる金属や硬質樹脂等で成形する支柱で、地中に挿し込む先端部分を、鋭角な円錐形や角錐形に成形し、その先端部分よりやや上の位置の側面に、ハンマー等で叩かれる程度の平面積を有する円柱形や角柱形の短い突起物を形成し、支柱本体を成形したこと特徴とする支柱。
【請求項２】
請求項１の支柱本体の側面に、形成し成形した円柱形や角柱形の突起物の上部位置より数ミリ程度下の位置で、支柱本体を上下二本に分割し、先のとがった短い支柱の切断部分に、メネジを形成し、もう片方の長い支柱の断面部分の形状を、短い支柱のメネジの大きさに合うようにオネジを形成し、このネジ部分での取り付けや取外しによって一本の支柱、及び、支柱と杭とに分けて利用することが出来るようにしたことを特徴とする支柱。
【請求項３】
支柱の下部先端部分にオネジを成形し、上部先端部分には下部先端部分のオネジのサイズに合致するメネジを成形し、支柱と支柱とを連結することが出来るようにしたことを特徴とする支柱。
【請求項４】
請求項２の杭として利用のできる短い支柱の断面部分は、そのままにしておき、その側面に形成し成形する円柱形や角柱形の上部平面部分に、メネジを形成し、オネジ有する支柱等を取り付けられるようにしたことを特徴とする杭。
【請求項５】
請求項２のオネジを有する支柱が取り付けられるように、陶器や硬質樹脂等で成形する植木鉢やプランターの上部縁どり部分数箇所にメネジを形成し、オネジを有する支柱等が取り付けられるようにしたことを特徴とする植木鉢とプランター。
【発明の詳細な説明】
【技術分野】
【０００１】  本発明は、花壇や菜園及び、植木鉢やプランターに植えられた植物の支えに用いる支柱と、植木鉢とプランターの形態に関する。
【背景技術】
【０００２】  従来の花壇や菜園に植えられた植物の支えに用いる支柱を立てる場合において、その支柱を、ただ地中に差し込むだけの立てかただけであった。【０００３】  植木鉢やプランターに支柱を立てる場合においても、ただ植木鉢やプランターの土の中に支柱を差し込むだけであった。【０００４】  植物の補助に利用している支柱の長さを簡単に長くすることが出来なかった。
【発明の開示】
【発明が解決しようとする課題】
【０００５】  従来の支柱においては、地面に支柱を立てるときに際し、ただ支柱を体力にまかせ地面に押し込んで立てるしかなかった。【０００６】  植木鉢やプランターにおいては、容器の底が浅いので、支柱のぐらつきの無いように支柱を立てることが困難であった。【０００７】  植物が支柱に巻きついた後に長い支柱に取り替えることが出来ず、支柱の長さを長くすることが出来なかった。【０００８】  本発明は、このような支柱の立てかたの問題点を解決しようとするものであり、支柱を体力に関係なく簡単に立てられることを目的とする。
【問題を解決するための手段】
【０００９】  本発明は上記目的を達成するために支柱本体の下部先端より幾分上の位置の側面に、ハンマー等で叩くことの出来る程度の平面積を有する円柱形や角柱形の突起物を形成し、支柱を成形したもの。
【００１０】  硬質樹脂や金属で、支柱や杭を成形する。
【００１１】  植木鉢やプランターに利用する支柱においては、支柱の下部先端部分にオネジを形成し、成形した支柱を用いる。
【００１２】  植木鉢やプランターにおいては、オネジ有する支柱が取り付けられるように、植木鉢やプランター本体の上部縁どり部分数箇所に、メネジを形成し成形した植木鉢やプランター。
【００１３】  支柱の下部先端部分にオネジを形成し、上部先端部分にメネジを成形する。
【発明の効果】
【００１４】  本発明の支柱を立てるときにおいて、支柱の側面に成形した円柱形の突起物を、ハンマー等で叩くことにより、体力に関係なく地面に支柱を簡単に立てることができる。
【００１５】  固い地面に、硬質樹脂で成形された支柱を立てることは困難であるが、金属で成形したメネジ付きの杭を、固い地面に簡単に打ち込むことが出来るので、金属で成形した杭を地面に打ち込んだ後に、硬質樹脂等で成形したオネジ有する支柱をねじ込んで、支柱を立てることができる。
【００１６】  植木鉢やプランターの上部縁どり部分数箇所に成形したメネジに、オネジを有する支柱をねじ込んで、植木鉢やプランターの上部縁取り部分に支柱を立てることができる。
【００１７】  植物が支柱に巻きついた後でも、支柱の上部先端部分に成形したメネジに、オネジを有する支柱を連結することが出来るので、支柱を抜き替えずに支柱を長くすることが出来る。
【発明の実施するための最良の形態】
【００１８】  以下、本発明の実施の形態を図１〜図４に基づいて説明する。
【００１９】  図１の支柱においては、従来どおりの方法で支柱１を成形する、そのさいに側面の突起物２も同時に成形するのであるが、その突起物２の平面積は支柱２の断面積程度にする。
【００２０】  図２の支柱１において、従来どおりの方法で支柱１を成形し、その下部先端部分にオネジ４を形成し、上部先端部分にメネジ５と同じメネジを成形する、杭３として利用する杭において、その上部先端部分にメネジ５を成形する、支柱１のオネジ４と、杭３のメネジ５のサイズが同じであるかどうか簡単に判断が出来るように、支柱１と杭３に、サイズを表す数字や文字を明記する。
【００２１】  図３の植木鉢６において、従来どおりの方法で植木鉢６を成形するのであるが、その植木鉢６の成形時に縁どり部分７のメネジも成形する、そのメネジのサイズを表す数字や文字を縁どり部分の数箇所に明記する。
【図面の簡単な説明】
【００２２】
【図１】  支柱正面図
【図２】  請求項２の支柱正面図
【図３】  植木鉢正面図
【図４】  植木鉢平面図
【符号の説明】
【００２３】１・・・支柱本体  ２・・・突起物  ３・・・杭本体  ４・・・オネジ  ５・・・メネジ  ６・・・植木鉢本体  ７・・・縁どり部分  ８・・・メネジ  ９・・・水抜き穴。
【図１】
2010022354.tif 000003
【図２】
2010022354.tif 000004
【図３】
2010022354.tif 000005
【図４】
2010022354.tif 000006